(57)【特許請求の範囲】
【請求項１】
情報表示を施した情報シート２を透視可能な保持シート３に保持せしめて成るシート状情報体１と、シート状情報体の縁部を挟着保持する取付具７とから成り、
取付具７は、シート状情報体の縁部４を表裏面から挟持する挟持面８ａ、９ａを備えた基板手段８と閉止板手段９を、合成樹脂により一体成形すると共に、相互に重なり合う位置と展開された位置との間で開閉自在となるように前記挟持面８ａ、９ａの一側縁に沿って設けた薄肉ヒンジ１０を介して連結せしめており、
基板手段８と閉止板手段９を重ねた状態で相互に嵌脱自在に嵌合せしめられる嵌合手段を備えており、該嵌合手段は、基板手段８の挟持面８ａから突出する凸部１１ａと閉止板手段９の挟持面９ａに凹入された凹部１１ｂとから成る第一嵌合手段と、基板手段８の挟持面８ａに凹入された凹部１２ｂと閉止板手段９の挟持面９ａから突出する凸部１２ａとから成る第二嵌合手段を構成して成ることを特徴とする情報表示体の取付装置。
【請求項２】
シート状情報体１の縁部４は、前記凸部１１ａ、１２ａを挿通せしめる孔５、６を設けて成ることを特徴とする請求項１に記載の情報表示体の取付装置。
【請求項３】
基板手段８と閉止板手段９の少なくとも一方の背面に着脱手段１３を設けて成り、着脱手段１３は、被取付体１６に設けられた孔１７に嵌入自在とされる筒状突起１４と、被取付体１６に設けられたロッド２２を抱持自在とされるフィンガー突起２０との何れかにより構成されて成ることを特徴とする請求項１又は２に記載の情報表示体の取付装置。
【発明の詳細な説明】
【０００１】
【発明の属する技術分野】
本発明は、販促情報その他の種々の情報を表示するシート状情報体を着脱自在に取付可能とした装置に関し、例えば、スーパー、コンビニ、レンタルビデオショップ、その他の店舗において、買物用に供されるショッピングかごやショッピングカートにシート状情報体を簡便に取付可能とした装置に関する。
【０００２】
【従来の技術】
従来より、種々の店舗において、来店した顧客にショッピングかごやショッピングカートが提供され、顧客が複数の買物商品を収容するための便宜に供されている。
【０００３】
【発明が解決しようとする課題】
このようなショッピングかごやショッピングカートは、専ら買物の便宜に利用され、それ以上の付加価値を有しない。
【０００４】
そこで、このようなかごやカートに対して販促表示等の情報を表示した情報体を着脱自在に添設できるように構成すれば、その付加価値を向上することができ有利である（本明細書において「販促」とは広義に「販売促進」を意味し、また、「情報」とは販売促進の有無に関係なく広く顧客が関心を持つと思われる情報を意味する）。例えば、新規商品や新規営業店舗等に関する広告を表示したシートや、商品等の割引券として利用できるシート等を添設することにより、販促効果が期待され、ショッピングかご及びショッピングカートに本来の目的機能以上の付加価値を与えることができる。
【０００５】
この点に関して、ショッピングカートに関しては、金属板の表面に宣伝広告等を表示したパネルを取付けたものが提供されているが、パネルを線材等でカートに固着した構成であるため、パネルの交換が困難であり、表示される情報を時宜に応じて変更することができない。また、情報毎にパネルを製作しなければならないから、高コストであるという問題がある。
【０００６】
【課題を解決するための手段】
本発明は、上記課題を解決した情報表示体の取付装置を提供するものであり、その手段として構成したところは、情報表示を施した情報シートを透視可能な保持シートに保持せしめて成るシート状情報体と、シート状情報体の縁部を挟着保持する取付具とから成り、取付具は、シート状情報体の縁部を表裏面から挟持する挟持面を備えた基板手段と閉止板手段を、合成樹脂により一体成形すると共に、相互に重なり合う位置と展開された位置との間で開閉自在となるように前記挟持面の一側縁に沿って設けた薄肉ヒンジを介して連結せしめており、基板手段と閉止板手段を重ねた状態で相互に嵌脱自在に嵌合せしめられる嵌合手段を備えており、該嵌合手段は、基板手段の挟持面から突出する凸部と閉止板手段の挟持面に凹入された凹部とから成る第一嵌合手段と、基板手段の挟持面に凹入された凹部と閉止板手段の挟持面から突出する凸部とから成る第二嵌合手段を構成して成る点にある。
【０００７】
本発明の好ましい実施形態において、シート状情報体の縁部は、前記凸部を挿通せしめる孔を設けている。
【０００８】
更に、好ましい実施形態において、基板手段及び閉止板手段は、少なくとも一方の背面に着脱手段を設けており、着脱手段は、被取付体に設けられた孔に嵌入自在とされる筒状突起と、被取付体に設けられたロッドを抱持自在とされるフィンガー突起との何れかにより構成される。
【０００９】
【発明の実施の形態】
以下図面に基づいて本発明の好ましい実施形態を詳述する。
【００１０】
（情報表示体と取付装置の構成）
図１に示すように、シート状情報体１は、情報シート２と、該情報シートを収納する透視可能なシート状の袋から成る保持シート３とから構成されている。情報シート２は、典型的には、新規商品や新規営業店舗等に関する広告を表示したシートや、商品等の割引券として利用できるシート等により構成されるが、その形態を特に限定されるものではなく、要するにショッピングかごやショッピングカート等の利用者に情報を提供できるものであれば良い。図例の場合、保持シート３は、透明の合成樹脂シートを相互に溶着することにより上端近傍部に開口部３ａを形成したシート状の袋から構成されているが、これに限定されるものではなく、要するに情報シート２を収納状態で保持すると共に外部から視認可能とするものであれば良い。
【００１１】
そこで、シート状情報体１は、外周部の１個所又は複数個所に保持シート３の縁部４を備えており、該縁部４に孔５を開設している。図例の場合、保持シート３の上縁部からヘッダーとしての縁部４ａが延設され、該縁部４ａに間隔をあけて３個の孔５、５、５を列設している。尚、任意選択的には、図１に鎖線で示すように、保持シート３の下縁部に縁部４ｂを延設し、該縁部４ｂに間隔をあけて３個の孔６、６、６を列設した構成としても良い。
【００１２】
取付具７は、それぞれシート状情報体１の縁部４を表裏面から挟持する挟持面８ａ、９ａを備えた基板手段８と閉止板手段９を合成樹脂により一体成形した構成とされ、基板手段８と閉止板手段９の挟持面８ａ、９ａを相互に重なり合う位置と展開された位置との間で開閉自在となるように薄肉ヒンジ１０を介して連結せしめられている。即ち、図２に示すように、薄肉ヒンジ１０は、一対の挟持面８ａ、９ａの一側縁に沿って設けられ、該ヒンジ１０の軸線Ａを中心として基板手段８と閉止板手段９が回動することにより一対の挟持面８ａ、９ａを開閉する。図例の場合、薄肉ヒンジ１０を取付具７の長手一側縁に沿って設けた構成としているが、短手一側縁に沿って設けても良い。
【００１３】
基板手段８と閉止板手段９は、相互に、少なくとも一方に凸部を設けると共に、他方に該凸部に着脱自在に嵌合される孔又は窪みから成る凹部を設けている。図示実施形態において、このような凹凸による嵌合手段は、基板手段８の挟持面８ａから突出する凸部１１ａと閉止板手段９の挟持面９ａに凹入された凹部１１ｂとから成る第一嵌合手段の他、閉止板手段９の挟持面９ａから突出する一対の凸部１２ａ、１２ａと基板手段８の挟持面９ａに凹入された一対の凹部１２ｂ、１２ｂとから成る第二嵌合手段により構成されている。尚、凸部と凹部の関係は、図示の場合とは反対に構成しても良く、また、その個数を問うものではなく、要するに、第一嵌合手段と第二嵌合手段が基板手段８と閉止板手段９の相互において嵌合自在に設けられておれば良い。このようにして設けられた合計３個の凸部１１ａ、１２ａ、１２ａの直径と間隔は、縁部４ａ又は４ｂに列設した３個の孔５又は６に挿通自在となるように構成されている。
【００１４】
そこで、取付具７は、基板手段８と閉止板手段９の何れか一方又は両方、図例においては基板手段８は、裏面に着脱手段１３、１３を設けている。
【００１５】
（着脱手段の第１実施例）
着脱手段１３の第１実施例を図２に示しており、この場合、着脱手段１３は、基板手段８の裏面に突出する筒状突起１４により構成されており、該筒状突起１４は、周方向に間隔をあけて溝１５により分割せしめられ、弾性変形により拡縮自在となるように構成されている。
【００１６】
従って、この第１実施例によれば、図２（Ａ）に示すように、シート状情報体１の縁部４ａを基板手段８と閉止板手段９により挟着保持せしめ、凸部１１ａ、１２ａ、１２ａを孔５、５、５に挿通せしめると共に、凹部１１ｂ、１２ｂ、１２ｂに嵌合固定した状態で、筒状突起１４を被取付体１６の孔１７に嵌入せしめれば、シート状情報体１を吊持した取付具７が被取付体１６に着脱自在に取付けられる。
【００１７】
この際、着脱手段１３は、取付具７に一体成形しても良いが、取付具７に対して着脱自在に構成することが好ましい。例えば、図２（Ｃ）に示すように、基板手段８に挿脱自在に挿通せしめられた固着具１８を介して筒状突起１４を着脱自在に固着しておけば、筒状突起１４を後述の図３に示すようなフィンガー突起から成る着脱手段１３と交換することが可能になる。
【００１８】
更に、筒状突起１４の先端には、図２（Ｄ）に示すようなテーパ状の抜止部１９を形成しても良く、これにより被取付体１６の孔１７に対する取付けの信頼性が向上する。
【００１９】
（着脱手段の第２実施例）
着脱手段１３の第２実施例を図３に示しており、この場合、着脱手段１３は、基板手段８の裏面に突出するフィンガー突起２０により構成されており、該フィンガー突起２０は、環状体又は筒状体の先端側に開放部２１を形成し、弾性変形により拡縮自在となるように構成されている。
【００２０】
従って、この第２実施例によれば、図３（Ａ）に示すように、シート状情報体１の縁部４ａを基板手段８と閉止板手段９により挟着保持せしめ、凸部１１ａ、１２ａ、１２ａを孔５、５、５に挿通せしめると共に、凹部１１ｂ、１２ｂ、１２ｂに嵌合固定した状態で、フィンガー突起２０により被取付体１６のロッド２２を抱持せしめれば、シート状情報体１を吊持した取付具７が被取付体１６に着脱自在に取付けられる。
【００２１】
第１実施形態と同様に、着脱手段１３は、取付具７に一体成形しても良いが、取付具７に対して着脱自在に構成することが好ましい。即ち、図３（Ｃ）に示すように、基板手段８に挿脱自在に挿通せしめられた固着具１８を介してフィンガー突起２０を着脱自在に固着しておけば、フィンガー突起２０を上述の図２に示した筒状突起１４から成る着脱手段１３と交換することが可能になる。この際、フィンガー突起２０は、固着具１８に固着せしめた状態において、図示矢印で示すように軸回りに回動自在とされ、開放部２１の向きを変更できるように構成されていることが望ましい。
【００２２】
（第１利用例）
上述した取付具７を使用してシート状情報体１をショッピングかごに取付け表示する場合を第１利用例として図４ないし図６に示している。
【００２３】
ショッピングかご２３は、かご本体２４と、提手２５、２５とから構成されている。かご本体２４は、底壁２６から上部開口部に向けて広がるテーパ状の側壁２７を備えると共に、開口縁に沿って側壁２７に外向きのフランジ２８を形成しており、合成樹脂により一体成形されている。図例の場合、全体形状をほぼ矩形に形成しているが、その形状は問わない。提手２５は、合成樹脂によりほぼ門形に形成されており、両端の軸部をかご本体２４に形成されたボス部２９に対して起伏回動自在に枢着している。従って、ショッピングかご２３は、提手２５、２５を起立せしめることにより持ち運び自在であり、提手２５、２５をフランジ２８に沿うように伏臥せしめたとき、複数のかご本体２４を相互に嵌合せしめることにより積層自在である。
【００２４】
上記は従来公知のショッピングかごに共通の構成であるが、上述の図２に示した第１実施例に係る筒状突起１４を備えた着脱手段１３を設けた取付具７を使用することにより、シート状情報体１をかご本体２４の所定の表示面に添設可能とする。即ち、ショッピングかご２４は、かご本体２４により上述した被取付体１６を構成し、底壁２６の内側表面２６ａ及び外側表面２６ｂと、側壁２７の内側表面２７ａ及び外側表面２７ｂにより表示面を構成しており、従って、図例のようなほぼ矩形状としたかご本体２４の場合、底壁２６の内外表面による２面と、側壁２７の４周面における内外表面による８面との合計１０面から表示面を選択することができる。図例の場合、側壁２７における４周部のそれぞれ内側表面２７ａにより選択された表示面にシート状情報体１を添設可能としている。
【００２５】
即ち、図５に示すように、各表示面に添設される１枚のシート状情報体１に対して、シート状情報体１の上部を挟着保持する上側の取付具７（図において符号７Ｕで示す）と、下部を挟着保持する下側の取付具７（図において符号７Ｄで示す）との一対が配置され、それぞれの取付具７の着脱手段１３に対応して、かご本体２４のフランジ２８には孔又は窪み等から成る取付凹部３０、３０が設けられ、側壁２７と底壁２６の境界近傍部には同様の孔又は窪み等から成る取付凹部３１、３１が設けられている。図例の場合、取付凹部３１、３１は、側壁２７に設けているが、底壁２６に設けても良い。
【００２６】
従って、上側の取付具７Ｕは、薄肉ヒンジ１０を外向きに配置すると共に基板手段８を水平姿勢に配置した状態で、着脱手段１３、１３をフランジ２８の取付凹部３０、３０に嵌着せしめられる。この際、フランジ２８は、上面を段差３２を介して凹入せしめられており、基板手段８に閉止板手段９を重ね合わせた状態で、該閉止板手段９の上面がフランジ２８の上面と面一になるように構成している。
【００２７】
また、下側の取付具７Ｄは、薄肉ヒンジ１０を下向きに配置すると共に基板手段８をほぼ垂直姿勢に配置した状態で、着脱手段１３、１３を側壁２７の取付凹部３１、３１に嵌着せしめられる。この際、基板手段８を受け入れるように側壁２７を内側から外側に向けて凹入するように構成しても良い。
【００２８】
このように、取付装置７によりシート状情報体１をかご本体２４の表示面（図例の場合、側壁２７の内側表面２７ａ）に添設するに際しては、予め、所定の表示面に対応して、上側の取付具７Ｕを取付凹部３０、３０を介してフランジ２８に取付け、下側の保持具７Ｄを取付凹部３１、３１を介して側壁２７に取付けている。そこで、保持シート３に所定の情報シート２を収納したシート状情報体１を準備した後、図６（Ｂ）に鎖線で示すように、上側の保持具７Ｕ及び下側の保持具７Ｄの何れにおいても、薄肉ヒンジ１０を介して閉止板手段９を基板手段８から離反せしめ、その状態で、シート状情報体１の上縁部４ａを上側の取付具７Ｕの基板手段８と閉止板手段９の間に位置せしめ、下縁部４ｂを下側の取付具７Ｄの基板手段８と閉止板手段９の間に位置せしめる。次いでこの状態から、図６（Ｂ）に実線で示すように、上側の保持具２４Ｕ及び下側の保持具２４Ｄの何れについても、薄肉ヒンジ１０を介して閉止板手段９を基板手段８に重ね合わせると、凸部１１ａ、１２ａ、１２ａと凹部１１ｂ、１１ｂ、１１ｂが相互に嵌合され、これにより、シート状情報体１の上縁部４ａ及び下縁部４ｂは、それぞれの保持具７Ｕ、７Ｄの基板手段８と閉止板手段９により挟着保持され、しかも、孔５、５、５と孔６、６、６のそれぞれに凸部１１ａ、１２ａ、１２ａを挿通せしめられる。尚、閉止板手段９を基板手段８に重ね合わせる前の状態において、シート状情報体１の孔５、６はそれぞれの取付具７の凸部１１ａに係止されるので、縁部４ａ、４ｂの位置決めが行われる。
【００２９】
然しながら、このような作業手順は、上記の方法の他、先に、シート状情報体１の上縁部４ａに上側の取付具７Ｕを挟着保持せしめ、下縁部４ｂに下側の取付具７ｄを挟着保持せしめ、その後、上側の取付具７Ｕをフランジ２８の取付凹部３０、３０に嵌着すると共に、下側の保持具７Ｄを側壁２７の取付凹部３１、３１に嵌着するようにしても良い。
【００３０】
（第２利用例）
上述した取付具７を使用してシート状情報体１をショッピングカートに取付け表示する場合を第２利用例として図７に示している。
【００３１】
ショッピングカート３３は、公知のように、キャスター等の車輪３４を介して走行自在な台車を構成すると共に、横向きロッド２２ａと縦向きロッド２２ｂにより形成されたかご部３５を備えている。
【００３２】
そこで、上述の図３に示した第１実施例に係るフィンガー突起２０を備えた着脱手段１３を設けた取付具７を使用することにより、シート状情報体１をショッピングカート３３の所定の表示面により構成された被取付体１６に添設可能とする。即ち、被取付体１６とされる表示面は、ショッピングカート３３のかご部３５の部分の内側面及び外側面や、その他の部分から任意に選択自在である。
【００３３】
即ち、図７に符号Ａで示すシート状情報体１の場合は、シート状情報体１の一方の縁部４ａを上側の取付具７（図において符号７Ｕで示す）により保持されると共に、他方の縁部４ｂを下側の取付具７（図において符号７Ｄで示す）により保持され、それぞれの取付具７の着脱手段１３をフィンガー突起２０により横向きロッド２２ａ、２２ａに取付けることにより、シート状情報体１をかご部３５の外側面に添設している。
【００３４】
一方、図７に符号Ｂで示すシート状情報体１の場合は、シート状情報体１の一方の縁部４ａを右側の取付具７（図において符号７Ｒで示す）により保持されると共に、他方の縁部４ｂを下側の取付具７（図において符号７Ｌで示す）により保持され、それぞれの取付具７の着脱手段１３をフィンガー突起２０により縦向きロッド２２ｂ、２２ｂに取付けることにより、シート状情報体１をかご部３５の内側面に添設している。
【００３５】
更に、図７に符号Ｃで示すシート状情報体１の場合は、上縁部４ａのみを取付具７により保持せしめ、該取付具７の着脱手段１３をフィンガー突起２０により任意の横向きロッド２２ａに取付け、シート状情報体１をショッピングカート３３の任意の部分に吊持状に添設している。
【００３６】
【発明の効果】
本発明によれば、例えば、スーパー、コンビニ、レンタルビデオショップ、その他の店舗において、買物用に供されるショッピングかご２３やショッピングカート３３に対して、販促情報その他の種々の情報を表示するシート状情報体１を簡便に取付けることができるので、販促効果等を向上し、これたのショッピングかご２３やショッピングカート３３に新たな付加価値を与えることができるという利点がある。
【００３７】
特に、本発明によれば、基板手段８と閉止板手段９の挟持面８ａ、９ａによりシート状情報体１の縁部４を挟着保持せしめる構成であるから、シート状情報体１を幅方向に沿って安定保持することができ、しかも、基板手段８と閉止板手段９を薄肉ヒンジ１０により連結されたものとして合成樹脂により一体成形した構成であるから、取り扱いが簡便であり、シート状情報体１の取付け又は取外しを容易に行うことができるという効果がある。
【００３８】
しかも、本発明によれば、基板手段８と閉止板手段９を重ね合わせたとき、第一嵌合手段が基板手段８の凸部１１ａと閉止板手段９の凹部１１ｂを嵌合せしめ、第二嵌合手段が閉止板手段９凸部１２ａ、１２ａと基板手段８の凹部１２ｂ、１２ｂを嵌合せしめ、第一嵌合手段と第二嵌合手段の凸部と凹部を相互に反対向きから嵌合する構成であるから、安定した嵌合状態が得られる。
そして、シート状情報体１の表裏面を挟着保持する挟持面８ａ、９ａに位置して、凸部１１ａ及び凹部１１ｂから成る第一嵌合手段と、凸部１２ａ及び凹部１２ｂから成る第二嵌合手段が形成されているので、第一及び第二嵌合手段により、基板手段８と閉止板手段９の嵌着手段として機能する他、シート状情報体１を挟持面８ａ、９ａにより挟着保持した状態から更に脱落を防止する脱落防止手段としても同時に機能する。
【００３９】
更に、請求項３に記載の本発明によれば、筒状突起１４により構成された着脱手段１３を備えた取付具７においては、ショッピングかご２３のような被取付体１６に孔１７を設けるだけで、簡単に取付具７を着脱可能とすることができ、また、フィンガー突起２０により構成された着脱手段１３を備えた取付具７においては、ショッピングカート３３のような被取付体１６のロッド２２をそのまま利用することにより、簡単に取付具７を着脱可能とすることができるものであり、実施化が容易であるという優れた効果がある。
【図面の簡単な説明】
【図１】本発明の１実施形態を示しており、シート状情報体と取付具を分解した状態を示す斜視図である。
【図２】着脱手段の第１実施例を備えた取付具の実施形態を示しており、（Ａ）は取付具の斜視図、（Ｂ）はＡ−Ａ断面図、（Ｃ）はＢ−Ｂ断面図、（Ｄ）は筒状突起に抜止部を形成した実施例を示す断面図である。
【図３】着脱手段の第２実施例を備えた取付具の実施形態を示しており、（Ａ）は取付具の斜視図、（Ｂ）はＣ−Ｃ断面図、（Ｃ）はＤ−Ｄ断面図である。
【図４】本発明の装置によりシート状情報体をショッピングかごに表示せしめた第１利用例を示す破断斜視図である。
【図５】第１利用例における要部を示す拡大斜視図である。
【図６】第１利用例における取付方法を示しており、（Ａ）はシート状情報体を取付ける前の状態を示す縦断面図、（Ｂ）はシート状情報体を取付けた状態を示す縦断面図である。
【図７】本発明の装置によりシート状情報体をショッピングカートに表示せしめた第２利用例を示す斜視図である。
【符号の説明】
１    シート状情報体
２    情報シート
３    保持シート
４    縁部
５、６  孔
７    取付具
８    基板手段
９    閉止板手段
１０    薄肉ヒンジ
１１ａ、１２ａ  凸部
１１ｂ、１２ｂ  凹部
１３    着脱手段
１４    筒状突起
１５    溝
１６    被取付体
１７    孔
１８    固着具
２０    フィンガー突起
２１    開放部
２２    ロッド
２３    ショッピングかご
３３    ショッピングカート
【図１】
0003634802.tif 000002
【図２】
0003634802.tif 000003
【図３】
0003634802.tif 000004
【図４】
0003634802.tif 000005
【図５】
0003634802.tif 000006
【図６】
0003634802.tif 000007
【図７】
0003634802.tif 000008